(57)【要約】  慣性を持つピクセル（１０）を有する表示パネル（１）用のオーバードライブ回路（２０）は、テーブルルックアップ回路（２４）又は関数回路（２４）を更に有しており、テーブルルックアップ回路（２４）又は関数回路（２４）は、開始値（ＳＶ）と、表示されるべき画像を示している入力信号（ＩＶ）か又はクリッピングされた値（ＣＶ）かである所望の値（ＤＶ）とを受け取り、ピクセル（１０）にオーバードライブ値（ＯＶ）を供給する。置換回路（３０）は、入力値（ＩＶ）を、開始値（ＳＶ）から開始して１つの所定期間（Ｔｆ）内に到達可能な応答に置換して、クリッピングされた値（ＣＶ）を得る。メモリ（２３）は、クリッピングされた値（ＣＶ）を受け取って、１つの所定期間（Ｔｆ）に渡って遅延されたクリッピングされた値（ＣＶ）である開始値（ＳＶ）を供給する。置換回路（３０）は、テーブルルックアップ回路又は関数回路（２２）を有しており、テーブルルックアップ回路又は関数回路（２２）は、開始値（ＳＶ）に対して、最小ドライブ値（ＭＩＤ）がピクセル（１０）に供給された場合に、１つの所定期間（Ｔｆ）内に開始値（ＳＶ）から到達される対応する最小値（ＭＩ）と、最大ドライブ値（ＭＡＤ）がピクセル（１０）に供給された場合に、１つの所定期間（Ｔｆ）内に開始値（ＳＶ）から到達される対応する最大値（ＭＡ）とを示している。
2007531044.tif 000002
【特許請求の範囲】
【請求項１】
慣性を持つピクセルを有する表示パネルのためのオーバードライブ回路であって、
−  開始値と、表示されるべき画像を示している入力値か又はクリッピングされた値かのいずれかである所望の値とを受け取る手段であって、この結果、前記ピクセルにオーバードライブ値を供給する手段と、
−  前記入力値を、前記開始値から開始して１つの所定期間内で到達可能な応答に置換する手段であって、この結果、前記クリッピングされた値を得る手段と、
−  前記クリッピングされた値を受け取り、この結果、前記１つの所定期間に渡って遅延された前記クリッピングされた値である前記開始値を供給するメモリと、
を有し、前記置換する手段は、前記開始値に関して、最小ドライブ値が前記ピクセルに供給された場合に、前記１つの所定期間内に前記開始値から到達される対応する最小値と、最大ドライブ値が前記ピクセルに供給された場合に、前記１つの所定期間内に前記開始値ＳＶから到達される対応する最大値とを示す手段を有している、オーバードライブ回路。
【請求項２】
前記所定期間はフレーム期間である、請求項１に記載のオーバードライブ回路。
【請求項３】
前記受け取る手段が、前記開始値と前記所望の値とのペアに関してオーバードライブ値を供給するテーブルルックアップ回路を有している、請求項１に記載のオーバードライブ回路。
【請求項４】
前記示す手段は、前記開始値に関して前記最小値及び前記最大値を供給するテーブルルックアップ回路を有する、請求項１に記載のオーバードライブ回路。
【請求項５】
前記示す手段は、前記最小値及び前記最大値を、少なくとも１つの所定の関数に従って前記開始値から生成する関数回路を有する、請求項１に記載のオーバードライブ回路。
【請求項６】
前記テーブルは、全ての可能な開始値について、対応する最小値及び対応する最大値を有する、請求項４に記載のオーバードライブ回路。
【請求項７】
前記テーブルは、全ての可能な開始値の部分集合に対して、対応する記憶されている最小値と対応する記憶されている最大値とを有し、前記置換する手段は、前記テーブル内で利用可能な前記対応する記憶されている最小値と前記対応する記憶されている最大値とから、前記テーブル内に記憶されている開始値の中間である開始値に対して、前記最小値及び前記最大値を内挿する、請求項４に記載のオーバードライブ回路。
【請求項８】
前記置換する手段は、現在の所定の期間内で、前記ピクセルのブライトネスを表している前記入力値と、前記最小値と前記最大値とを受け取り、この結果、前記クリッピングされた値を供給するクリッピングング手段であって、該クリッピングされた値は、（i）前記入力値のレベルが前記最小値よりも大きく、かつ、前記最大値よりも小さい場合には該入力値、（ii）前記入力値が前記最小値以下である場合には該最小値、又は（iii）前記入力値が前記最大値以上である場合には該最大値である、クリッピング手段を有する請求項１に記載のオーバードライブ回路。
【請求項９】
前記テーブルルックアップ回路は、前記所望の値と前記オーバードライブ値との間の差分を表す差分オーバードライブ値を有し、フィードバック型の前記オーバードライブ回路は、前記差分オーバードライブ値と前記対応する所望の値とを加算する加算器を更に有する、請求項３に記載のオーバードライブ回路。
【請求項１０】
請求項１に記載のオーバードライブ回路と、前記表示パネルを有する表示器。
【請求項１１】
請求項１０に記載の表示器と、信号処理回路とを有する表示装置。
【請求項１２】
表示パネルのピクセルをオーバードライブする方法であって、前記ピクセルは慣性を持っており、
−  開始値と、表示されるべき画像を示している入力値か又はクリッピングされた値かのいずれかである所望の値とを受け取って、前記ピクセルにオーバードライブ値を供給するステップと、
−  前記入力値を、前記開始値から開始して１つの所定期間内に到達可能な応答に置換し、この結果、前記クリッピングされた値を得るステップと、
−  前記クリッピングされた値を記憶し、この結果、前記１つの所定期間に渡って遅延されているクリッピングされた値である前記開始値を供給するステップと、
を有する方法であって、前記置換するステップは、前記開始値に関して、最小ドライブ値が前記ピクセルに供給された場合に、前記１つの所定期間内に前記開始値から到達可能である対応する最小値と、最大ドライブ値が前記ピクセルに供給された場合に、前記１つの所定期間内に前記開始値から到達可能である対応する最大値とを示すステップを使用する、方法。
【発明の詳細な説明】
【技術分野】
【０００１】
本発明は、表示パネル用のオーバードライブ回路と、前記オーバードライブ回路を有する表示器及び表示装置と、表示パネルのピクセルをオーバードライブする方法とに関する。
【背景技術】
【０００２】
液晶表示器（ＬＣＤとも称される）は、不完全な時間的光学応答を呈することが知られており、N. Fisekovic らの「走査型バックライトを使用するＡＭ―ＬＣＤの改善された動画の質」（ＩＤＷ２００１  １６３７―１６４０ページ）を参照されたい。連続的なビデオフレームの入力信号における階段は、輝度出力における対応する階段には至らない。それよりも、ＬＣＤはかなりの待ち時間を示し、輝度出力は、所望の値にゆっくりと近づく。オーバードライブと呼ばれる方法が、前記ＬＣＤの応答を加速するのに使用されている。例えば、高いブライトネスへのブライトネス遷移が望まれている場合、前記のような所望のブライトネス値に最終的に到達するのに必要なデータ値よりも高いデータレベル又はデータ値が、前記ＬＣ材料に供給される。前記高いデータ値は、１フレーム期間内に前記所望のブライトネス値に到達するように選択されることができる。オーバードライブを実施化するための２つの良く知られている実施例は、通常、フィードフォワードオーバードライブ及びフィードバックオーバードライブと呼ばれているも。
【０００３】
前記フィードフォワードオーバードライブとは、入力ビデオ値を記憶し、記憶された入力ビデオ値を出力するためのフレームバッファを有しており、前記記憶された入力ビデオ値は、先行フレームの間のピクセルの前記所望のブライトネス値を表している。前記フィードフォワードオーバードライブ回路は、出力ビデオ値を決定するために、現フレームの入力ビデオ値と、前記先行フレームの前記記憶された入力ビデオ値と、ルックアップテーブルとを使用する。前記ルックアップテーブルは、複数の様々なグレーレベルの遷移に関して、ちょうど１つのフレーム期間の後のピクセルの光学応答の測定から得られ、軸に沿った開始値／所望のグレーレベルのペアと、対応する必要とされているオーバードライブ値とをマトリックスのセル内に供給する。前記のようなマトリックスは、各開始値及び所望のグレーレベル（８ビットデータの場合、２５６＊２５６マトリックス）についてのオーバードライブ値を有することができ、又は限定された数の開始値及び所望のグレーレベル（例えば、６４＊６４）についての限定された数のオーバードライブ値を有する。前記マトリックス内に存在しないオーバードライブ値の中間値は、この６４＊６４マトリックスから挿入される。前記開始値が、前記マトリックスの最も左の列であり、かつ、前記所望のグレーレベルが前記マトリックスの最上行である場合、特定の開始値及び特定の所望の値に属する前記オーバードライブ値は、前記のような開始レベルによって示されている行と前記所望のグレーレベルによって示されている列とに属するセル内に見出されることができる。
【０００４】
オーバードライブのこの実施化は、フィードフォワードと呼ばれており、これは、現在及び先行のフレームのデータ値に基づいて、前記オーバードライブ値を予測しているからである。ＬＣセルの実際の状態は、考慮に入れられていない。前記のようなドライブレベルが、最小ドライブ値及び最大ドライブ値を有する実際の輝度のために、最小ドライブ又は最大ドライブ値が前記ピクセルに供給される場合でさえも、全ての光学遷移が１フレーム期間内に完了されることができるわけではない。例えば、８ビット値の場合、前記最小ドライブ値は０であり、前記最大ドライブ値は２５５である。特定のドライブ電圧は、これらの限界ドライブ値に関連しており、例えば、前記ドライブ値が０である場合、前記ピクセルに０ボルトが印加され、前記ドライブ値が２５５である場合、前記ピクセルに５ボルトが印加される。従って、１フレーム期間の後に到達する前記ピクセルの実際の光学状態は、前記入力値に等しくないことがある。従って、前記フレームバッファ内に記憶されているグレー値の一部は、現在のフレームの終端におけるピクセルの実際の光学状態を表しているわけではないので、次のフレームに関して不正確な開始値を供給する。フィードフォワードの取り組み方は、前記所望の値に到達していることを仮定していた。この誤りは、次のフレームにおいて、過剰であるか又は不足しているかのいずれかのオーバードライブを生じ得るので、前記ピクセルの光学状態の遷移におけるオーバーシュート又はアンダーシュートを生じ得る。
【０００５】
これらの誤りを防止するために、前記ピクセルの得られるグレーレベルに対応する値が、先行ビデオフレームの値の代わりに、記憶されるべきである。この取り組み方は、フィードバックオーバードライブと呼ばれており、Ｄ. Ｎａｋａｎｏらによる「フィードバックドライブ技術を使用した高速応答ＩＰＳ―ＬＣＤ」（ＩＤＷ ２００２ ２１１―２１４ページ）を参照されたい。この実施化は、フィードフォワード・ルックアップテーブルの２倍の大きさを合わせて有する２つのルックアップテーブルを使用している。前記ルックアップテーブルの一方は、前記フィードフォワードの取り組み方において使用されるルックアップテーブルと同じのものであり、前記開始値／所望の値ペアに関して、オーバードライブ値を供給する。前記オーバードライブ値とは、１つのフレーム期間内で前記開始値から開始して前記所望の値に到達するのに必要な値である。他方のルックアップテーブルは、前記開始値／所望の値ペアに対する前記フレーム期間の終端における応答値を供給する。前記応答値とは、前記所望の値が利用される場合、前記開始値から開始して前記フレーム期間の終端において到達する値である。前記のような第１テーブルにおいて発見されるオーバードライブ値を前記のような第２テーブルにおける所望の値として使用することにより、前記フレームの終端におけるピクセルの実際の光学状態を示す実際の値を発見することができる。この実際の値は、前記開始値として、次のフレームにおいて使用される。
【発明の開示】
【発明が解決しようとする課題】
【０００６】
前記フィードバックオーバードライブは、前記フィードフォワードオーバードライブに対して改善された性能を有するが、この実施化には、大量の記憶装置又は複雑な機能が必要である。
【０００７】
本発明の目的は、簡単なフィードバックオーバードライブを提供することにある。
【課題を解決するための手段】
【０００８】
本発明の第１の見地は、添付の請求項１に記載されている表示パネル用のオーバードライブ回路を提供する。本発明の第２の見地は、添付の請求項１０に記載されている表示器を提供する。本発明の第３の見地は、添付の請求項１１に記載されている表示器を提供する。本発明の第４の見地は、添付の請求項１２に記載されている表示パネルのピクセルをオーバードライブする方法を提供する。有利な実施例は、添付の従属請求項に規定されている。
【０００９】
前記表示パネルは、慣性を有するピクセルを有している。通常、前記表示パネルは、各々慣性を有する多数のピクセルを有する。慣性を有するとは、前記ピクセルの光学応答が、前記ピクセルの駆動が変化する場合、遅く変化することを意味する。前記オーバードライブ回路は、メモリ、テーブルルックアップユニット又は関数ユニット、及び置換回路を有する。前記メモリは、所定期間（例えば、フレーム期間又はライン期間）に渡る遅延を提供する。
【００１０】
前記テーブルルックアップユニット又は関数ユニットは、開始値及び所望の値を受け取って、前記ピクセルにオーバードライブ値を供給する。前記所望の値は、現在の前記所定期間において到達されるべきピクセルの値を示している。前記開始値は、前記メモリに記憶されており、先行の前記所定期間において到達されたピクセルの値を示している。前記オーバードライブ値は、該オーバードライブ値が前記開始値／所望の値ペアに対して記憶されているマトリックステーテーブルを使用することにより、又は前記オーバードライブ値を前記開始値及び所望の値の関数として出力する所定の関数を使用することにより決定される。このようなことは、従来技術のフィードフォワード及びフィードバックオーバードライブの実施化から知られている。前記所望の値は、表示されるべき画像に関して示している入力値か、又は前記置換回路によって供給されるクリッピングされた値かのいずれかである。前記メモリは、前記クリッピングされた値を受け取り、１つの所定期間に渡って遅延された前記クリッピングされた値である前記開始値を供給する。
【００１１】
前記置換回路は、前記入力値を受け取り、テーブルルックアップ回路又は関数回路を有しており、該関数回路には、前記開始値に対して、対応する最小値及び対応する最大値がそれぞれ記憶されている若しくは決定されている。前記開始値から開始して前記最小値に到達した場合、最小ドライブ値が、前記ピクセルに供給される。前記開始値から開始して、前記最大値に到達した場合、最大ドライブ値が、前記ピクセルに供給される。例えば、データワードが８ビット幅である場合、前記最小ドライブ値は０であり、前記最大ドライブ値は２５５である。１つの所定期間内に到達可能な前記最小値及び前記最大値は、勿論、前記開始値に依存する。
【００１２】
従って、従来技術のフィードバックオーバードライブの取り組み方との主要な違いは、今や、前記現在の所定期間内に到達可能である可能な前記最大及び最小応答が何であるかが、前記メモリから読み出される前記先行の所定期間の値に関して決定されることにある。前記現在の入力値がこれらの境界内にある場合、該入力値は、所望の入力値が前記オーバードライブ回路によって到達されることができるので、次のフレームにおいて正確な開始値として使用されるように前記メモリ内に記憶されることができる。前記現在の入力値が、これらの境界の外にある場合、前記所望の入力値は、前記オーバードライブ値が、前記最小ドライブ値よりも低くなることはできず、かつ、前記最大ドライブ値よりも高くなることもできないので、前記オーバードライブ回路によって到達されることができず、即ち、前記テーブルから利用可能である前記最小値か又は前記最大値かのいずれかに到達することができるのみである。従って、前記次の所定期間において前記正確な開始値を得るために、前記テーブルから利用可能である前記最小値又は前記最大値は、前記メモリ内に記憶されるべきである。実際、前記入力信号の値がこれらの最小値と最大値との間に無い場合、前記入力信号の前記値は、前記開始値から到達可能である最小値か又は最大値かのいずれかにクリッピングされる。
【００１３】
前記テーブルルックアップユニット又は前記関数ユニットは、やはり、前記開始値／所望の値ペアに対する前記オーバードライブ値を供給する従来技術のマトリックステーブル又は従来技術の関数ユニットを必要とする。しかしながら、前記開始値／ドライブ値ペアに対する応答値を供給する前記マトリックステーブル又は関数回路の代わりに、今や、各開始値に対して、前記オーバードライブ回路によって該開始値から到達可能である前記最小値及び前記最大値を供給する比較的小さいテーブル又は簡単な機能が必要とされるのみである。従って、この先述のマトリックステーブルに必要なメモリの量は、上述のテーブルに必要なメモリの量まで減少される。例えば、前記マトリックステーブルが、６４個の開始値と６４個のドライブ値とに関して６４×６４のエントリを有する場合、本発明によって使用される前記テーブルは、６４個の開始値に対して、２＊６４個のエントリを有するのみである。従って、必要な記憶装置の量は、従来技術のフィードバックドライブにおけるものよりも少ない。使用されている前記機能は、単一の入力変数（開始値）が存在するのみであるので、より簡単であることができる。前記開始値から生成されなければならないのは前記最小及び最大値のみなので、必要とされる機能は少ない。
【００１４】
米国特許２００３／０１３７５２７号は、フィードフォワードオーバードライブシステムを開示している。印加されている電場に応答して比較的遅く変化するＬＣＤのピクセルの光学特性が知られていることが開示されている。前記ＬＣＤのピクセルへのデータ電圧の印加によって、所望の期間内に望まれる角度に液晶分子を回転させることができないことがある。前記ピクセルに印加される電圧を一時的に増大させることにより、前記所望期間内に前記ピクセルの光学状態の所望の変化に到達することが可能である。この印加される電圧の一時的な増大化が、オーバードライブと呼ばれる。実際、確かに、前記ピクセルは、オーバードライブされて、自身の光学遷移が加速される。ＶＧＡチップは、現在のフレームの表示データ、フレームメモリ内に記憶されている先行フレームの表示データ、及び前記出力データを決定するためのオーバードライブ・ルックアップテーブルからのオーバードライブデータを使用している。
【００１５】
添付請求項２に記載されている実施例において、前記所定期間はフレーム期間である。現在のフレームにおけるピクセルの光学状態は、先行フレームにおけるピクセルの光学状態から開始して決定される。
【００１６】
添付請求項３に記載されている実施例において、前記オーバードライブ値は、テーブルルックアップ回路を使用することにより、前記開始値及び前記所望の値から決定されている。代替的には、所定のオーバードライブ関数が使用されても良い。
【００１７】
添付請求項４に記載の実施例において、前記最小値及び前記最大値は、テーブルルックアップ回路を使用することにより前記開始値から決定される。
【００１８】
添付請求項５に記載の実施例において、前記最小値及び前記最大値は、所定の最小／最大関数を使用することにより前記開始値から決定される。
【００１９】
添付請求項６に記載の実施例において、各可能な開始値に対して、到達可能な前記最小及び最大値を提供する比較的小さいテーブルが、使用される。前記開始値の数は、可能なデータレベルの数に対応する。例えば、８ビットデータワードの場合、前記テーブルは、２５６個の開始値、２５６個の最小値及び２５６個の最大値を有する。やはり、必要とされるメモリは、従来技術における６４＊６４個の応答値を記憶する場合よりも、かなり少ない。更に、前記のような値の内挿は必要ないので、従来技術の場合よりも精度が高い。
【００２０】
添付請求項７に記載の実施例において、前記開始値の部分集合のみが存在し、例えば８ビットワードに対して、対応する最大値及び最小値を有する６４個の開始値のみが、前記テーブル内に存在する。このことは、前記テーブルのために必要な記憶装置が、更に減少するという利点を有する。前記テーブル内に無い開始値については、前記最大及び最小値は、前記テーブル内にある前記最大及び最小値から内挿される。
【００２１】
添付請求項８に記載の実施例において、クリッパが、クリッピングされた値を供給し、該クリッピングされた値とは、（i）前記入力値のレベルが前記最小値よりも大きく、かつ、前記最大値よりも小さい場合には該入力値、（ii）前記入力値が前記最小値以下である場合には該最小値、又は（iii）前記入力値が前記最大値以上である場合には該最大値である。
【００２２】
請求項９に記載の実施例において、前記オーバードライブを決定するために使用される前記のようなテーブルルックアップは、実際のドライブ値の代わりに、差分値を有する。前記差分値とは、前記所望の値と前記オーバードライブ値との間の差分を示しており、通常、前記オーバードライブ値よりも小さい数である。このことは、このテーブルに必要な記憶装置の容量を最小化する。
【発明を実施するための最良の形態】
【００２３】
本発明のこれら及び他の見地は、以下に記載される実施例を参照して、明らかになり説明されるであろう。
【００２４】
図１は、マトリックス表示装置のブロック図を示している。前記マトリックス表示装置は、信号処理回路ＳＰＣと、ドライバＤ及びマトリックス表示パネル１を有するマトリックス表示器とを有する。マトリックス表示パネル１は、交差している選択電極ＳＥｉ及びデータ電極ＤＥｊに関連付けられているサブピクセルＳＰｉｊ（ＳＰ１１、ＳＰ１２、ＳＰ２１、ＳＰ２２、ＳＰ１ｎ、Ｓｐ２ｎ、ＳＰｍ１、ＳＰｍ２、ＳＰｍｍ）を有する。添え字ｉは、関係している選択電極ＳＥｉを示しており、添え字ｊは関係しているデータ電極ＤＥｊを示している。単に例として、図１に示されているマトリックス表示パネル１は、正方形のサブピクセルＳＰｉｊと、各々４つのサブピクセルＳＰｉｊを含んでいるピクセルＰｋとを持っている（示されているピクセルＰ１は、サブピクセルＳＰ１１、ＳＰ１２、ＳＰ２１及びＳＰ２２を有する）。サブピクセルＳＰｉｊは、長方形のような他の寸法を有していても良く、ピクセルＰｋは、３つよりも多い又は少ないサブピクセルＳＰｉｊを有していても良い。前記マトリックスは、一般に長方形構造を有しているが、いかなる構造を有していても良い。ピクセルＰの４つのサブピクセルＳＰ１１、ＳＰ１２、ＳＰ２１、ＳＰ２２は、赤、緑、青及び白色を、何らかの順序で有していても良い。添え字ｉ、ｊ及びｋは、特定の項目がアドレス指定されている場合に、一般に、関連する項目を示すのに使用されており、数字は、これらの添え字を参照するのに使用される。
【００２５】
ドライバＤは、選択ドライバＳＤ、データドライバＤＤ、データプロセッサＤＰ及びタイミング制御回路ＴＣを有している。前記ドライバは、１つ以上の集積回路によって、又は前記１つ以上の集積回路と、オプションで付加的な構成要素とを有する１つ以上の電子モジュールによって、形成されることができる。前記信号処理回路は、外部入力信号ＥＩＶを入力ビデオ信号ＩＶのフォーマットに変換する。当該装置は、テレビジョンセット、モニタ、ポータブルコンピュータ、ＰＤＡ、又はディスプレイを有する他のいかなる製品であっても良い。前記外部入力信号は、アンテナ信号、又はコンピュータ若しくはＤＶＤプレーヤのようなビデオソースからの何らかの他の信号であっても良い。
【００２６】
データプロセッサＤＰは、入力ビデオ信号ＩＶを受け取り（入力ビデオ信号ＩＶは、通常、それぞれ赤、緑及び青色を表す３つの入力信号Ｒ、Ｇ、Ｂを有する）、入力ビデオ信号ＩＶのブライトネス及び色を一緒に決定する。これら入力信号Ｒ、Ｇ、Ｂはデジタル信号であり、該デジタル信号のデータピクセルの数は、マトリックス表示パネル１のピクセルＰｋの数に対応している。ビデオ信号ＩＶがアナログ信号である場合、該ビデオ信号ＩＶは最初にデジタル化されなければならない。前記データピクセルの数が、ピクセルＰｋの数に等しくない場合、変換が実施されなければならない。このような変換は、通常、よく知られているスケーラによって実施される。データプロセッサＤＰは、ドライブ信号Ｒａ、Ｇａ、ＢａをデータドライバＤＤに供給する。
【００２７】
タイミングコントローラＴＣは、入力ビデオ信号ＩＶの水平同期信号Ｈｓと垂直同期信号Ｖｓとを受け取って、制御信号ＣＳ１をデータドライバＤＤに供給すると共に、制御信号ＣＳ２を選択ドライバＳＤに供給する。タイミングコントローラＴＳは、選択ドライバＳＤ及びデータドライバＤＤを、入力ビデオＩＶのサンプルと、かつ、互いに対しても、同期させる。選択ドライバＳＤは、選択信号Ｓｉ（Ｓ１からＳｍ）を選択電極ＳＥｉに供給して、通常、選択電極ＳＥｉを１つずつ指定する。前記データドライバは、データ信号Ｄｊ（Ｄ１からＤｎ）を、データ電極ＤＥｊを介して供給して、選択電極ＳＥｉの選択されたものと関連しているサブピクセルＳＰｉｊを駆動する。
【００２８】
図２は、前記マトリックス表示パネルのサブピクセルを駆動するための選択信号及びデータ信号を示している。図２の全ての図において、水平軸は、時間を表している。図２Ａは、選択電極ＳＥｉのうちの第１選択電極における選択パルスＳ１を示している。図２Ｂは、選択電極ＳＥｉのうちの第２選択電極における選択パルスＳ２を示している。図２Ｃは、選択電極ＳＥｉのうちの最後の選択電極における選択パルスＳｍを示している。図２Ｄは、データ電極ＤＥｊにおけるデータパルスＤｊを示している。
【００２９】
現在のフレーム期間Ｔｆは、時点ｔ０に開始し、時点ｔ０’に終了している。先行するフレーム期間Ｔｆｐの間、前記最後の選択電極は、時点ｔ０のちょうど前に発生しているパルスＳｍによって選択されている。この最後の電極に供給されるデータＤｊは、バツ印によって模式的に示されている。前記バツ印は、異なるデータ信号Ｄ１からＤｎの異なるデータレベルが、図２Ｄにおいて並列に供給されており、従って互いにオーバーラップしていることを示している。現在のフレーム期間Ｔｆの間、第１の前記選択電極が、選択信号Ｓ１によって時点ｔ０からｔ１まで選択されており、該選択信号Ｓ１は、この第１選択期間Ｔｓ１の間、高いレベルを有している。他のディスプレイにおいて、前記選択電極は、低い又は負のレベルによって選択されることができる。この第１選択期間Ｔｓ１の間、前記データ電極ＤＥｊに並列に供給されるデータＤ１からＤｎは、前記第１選択電極と関連付けられているサブピクセルＳＰ１１からＳＰ１ｎに影響を及ぼすのみである。前記第２選択電極は、選択信号Ｓ２によって時点ｔ１から時点ｔ２まで選択され、該選択信号Ｓ２は、前記第２選択期間Ｔｓ２の間、高いレベルを有している。この第２選択期間Ｔｓ２の間、データＤ１からＤｎは、前記第２選択電極と関連付けられているサブピクセルＳＰ２１からＳＰ２ｎに影響を及ぼすのみである。前記最後の選択電極は、選択信号Ｓｍによって時点ｔｍから時点ｔ０’まで選択され、該選択信号Ｓｍは、この最後の選択期間Ｔｓｍの間、高いレベルを有している。この最後の選択期間Ｔｓｍの間、データＤ１からＤｎは、前記最後の選択電極と関連付けられているサブピクセルＳＰｍ１からＳＰｍｎに影響を及ぼすのみである。
【００３０】
次のフレーム期間Ｔｆｎが、時点ｔ０’に開始し、前記第１選択電極が、選択信号Ｓ１によって時点ｔ０’から時点ｔ１’まで選択され、該選択信号Ｓ１は、次のフレーム期間Ｔｆｎの第１選択期間Ｔｓ１’の間、高いレベルを有している。前記第２選択電極は、選択信号Ｓ２によって時点ｔ１’から時点ｔ２’まで選択され、該選択信号Ｓ２は、次のフレーム期間Ｔｆｎの第２選択期間Ｔｓ２’の間、高いレベルを有している。
【００３１】
図３は、サブピクセルのブライトネスをいくつかのドライブ信号レベルに関する時間の関数として示している。図３Ａは、ピクセルＰ１のサブピクセルＳＰｉｊの第１のもののブライトネスを示しており、サブピクセルＳＰｉｊのこの第１のものは、更に、第１サブピクセルＳＰ１１と称される。図３Ｂは、サブピクセルＳＰｉｊの第２のもののブライトネスを示しており、更に、第２サブピクセルＳＰ１２とも称される。サブピクセルＳＰｉｊの両方とも、同じピクセルＰ１の一部である。
【００３２】
図３Ａにおいて、時点ＴｏにおけるサブピクセルＳＰ１１のブライトネス値は、ＳＶ１である。１つのフレーム期間Ｔｆの終端、従って、時点Ｔｆにおける所望のブライトネスレベルは、ＤＬ１である。オーバードライブが使用されない場合、サブピクセルＳＰ１１が、この所望のブライトネスレベルＤＬ１を示すデータに対応するドライブ信号によって駆動される。ＬＣ材料の不活性さにより、サブピクセルＳＰ１１が所望のブライトネスＤＬ１に到達するまでに、数フレーム期間Ｔｆかかる（線ＢＲａ参照）。ここで、最終的に時点３Ｔｆの近くで、サブピクセルＳＰ１１のブライトネスは、所望のブライトネスレベルＤＬ１に到達するが、１フレーム期間Ｔｆの後、時点Ｔｆにおいては、前記ブライトネスレベルは、わずかＲＬ１である。１つのフレーム期間Ｔｆ内で、従って時点Ｔｆにおいて、所望のブライトネスレベルＤＬ１に到達しなければならない場合、ブライトネスレベルＯＬ１に対応するオーバードライブデータ信号が、サブピクセルＳＰ１１に供給されなければならない。破線ＢＲｃによって示されているように、今、所望のブライトネスＤＬ１に、時点Ｔｆにおいて到達している。
【００３３】
しかしながら、通常、前記のようなデータ信号は、サブピクセルＳＰｉｊを駆動するのに利用可能な最大電圧に対応する最大ドライブ値ＭＡＤに限定されている。この最大値ＭＡＤによってサブピクセルＳＰ１１を駆動する場合、対応する最大ブライトネスレベルＭＡＬが得られる。図３Ａにおいて、最大ドライブ値ＭＡＤによって、前記ブライトネスが、破線ＢＲｂで示されているように変化することが仮定されている。従って、最終的に、最大ドライブ値ＭＡＤに対応する最大ブライトネスＭＡＬに到達する。従って、時点Ｔｆにおいて到達されるクリッピングされたブライトネスＲＲ１は、オーバードライブなしで到達するブライトネスレベルＲＬ１と、クリッピングされたオーバードライブなしに到達する所望のブライトネスレベルＤＬ１との中間にある。従って、利用可能な前記最大データ信号ＭＡＤの結果としての前記ドライブ信号のクリッピングにより、１つのフレーム期間Ｔｆ内で、所望のブライトネスレベルＤＬ１に到達することはできない。
【００３４】
レベルＤＬ１とレベルＯＬ１との間の差分を、必要とされるオーバードライブＯＤＲ１と称す。最大ブライトネスレベルＭＡＤと、時点Ｔｆにおいて、所望のブライトネスに到達するのに必要なレベルＯＬ１との差分を、ＯＤＳ１と称す。前記ドライブのこの部分ＯＤＳ１は、前記データ信号が最大ドライブ信号ＭＡＤよりも高い値を有することができないので、実現されることができない。最大ブライトネスＭＡＬと所望のレベルＤＬ１との間の差分をＯＤ１と称し、開始レベルＳＶ１と所望のレベルＤＬ１との間の差分を、所望のブライトネス遷移ＢＴ１と呼ぶ。
【００３５】
図３Ｂは、図３Ａにとても類似しており、いま、サブピクセルＳＰ１２は、開始レベルＳＶ２から所望のレベルＤＬ２までのブライトネス遷移ＢＴ２を作らなければならない。このブライトネス遷移ＢＴ２に、オーバードライブによって１フレーム期間で到達することができる。図３Ｂから明らかであるように、サブピクセルＳＰ１２は、大きいブライトネス遷移を作ることができる。可能な最大ブライトネス遷移は、ＢＴｍによって示されている。
【００３６】
図３Ｂにおいて、時点ＴｏにおけるサブピクセルＳＰ１２のブライトネス値は、ＳＶ２である。１フレーム期間の終端、従って時点Ｔｆにおける所望のブライトネスレベルは、ＤＬ２である。オーバードライブが使用されない場合、サブピクセルＳＰ１２が、この所望のブライトネスレベルＤＬ２を示すデータに対応するドライブ信号によって駆動される。ＬＣ材料の非活性さにより、サブピクセルＳＰ１２が、前記所望のブライトネスレベルＤＬ２に到達するまで、数フレーム期間Ｔｆかかる（線ＢＲｄ参照）。従って、最終的に、時点３Ｔｆの近くで、サブピクセルＳＰ１２のブライトネスが、所望のブライトネスレベルＤＬ２に到達する。１フレーム期間Ｔｆの後、時点Ｔｆにおいて、到達するブライトネスレベルは、わずかＲＬ２である。１フレーム期間Ｔｆ内で、従って時点Ｔｆにおいて、所望のブライトネスレベルＤＬ２に到達しなければならない場合、ブライトネスレベルＯＬ２に対応するオーバードライブデータ信号が、サブピクセルＳＰ１２に供給されなければならない。破線ＢＲｅで示されているように、今、所望のブライトネスＤＬ２に、時点Ｔｆにおいて到達している。
【００３７】
再び、前記データ信号は、前記データ信号は、サブピクセルＳＰｉｊを駆動するのに利用可能な最大電圧に対応する最大ドライブ値ＭＡＤに限定されており、最大ブライトネスレベルＭＡＬが得られる。図３Ｂにおいて、最大データ値ＭＡＤは、最終的に、破線ＢＲｆで示されているようにブライトネスレベルＭＡＬに到達することができることが仮定されている。従って、時点Ｔｄにおいて、サブピクセルＳＰ１２は、最大ブライトネスレベルＯＬ２ａに到達することができ、該最大ブライトネスレベルＯＬ２は、所望のブライトネスレベルＤＬ１よりもかなり高い。レベルＤＬ２とレベルＯＬ２との間の差分は、必要とされるオーバードライブＯＤ２と称される。前記最大可能レベルＭＡＬとレベルＯＬ２との間の差分は、ＯＤＲ２と称される。図３の両方は、サブピクセルＳＰ１１及びＳＰ１２の、より明るい状態へのブライトネス遷移を示しているが、図３ａに示されているのと同じクリッピング効果が、反対のブライトネス遷移に関しても生じ得る。
【００３８】
図４は、マトリックス表示器用の従来技術のフィードバックオーバードライブ回路を示している。オーバードライブ回路ＯＶは、入力画像信号ＩＶをデータ入力ＤＥにおいて、開始値ＳＶを開始値入力ＳＶＩにおいて受け取り、オーバードライブされたデータＤＡ及び応答値ＲＶを供給する。入力画像値ＩＶは、表示されるべき入力画像を表している。オーバードライブされたデータＤＡは、表示パネル１のサブピクセルＳＰｉｊの１つに供給される。フレームバッファＦＢは、オーバードライブ回路ＯＶによって供給される応答値ＲＶを受け取り、１つのフレーム期間Ｔｆに渡って遅延された応答値ＲＶを、開始値ＳＶとして、オーバードライブ回路ＯＶの開始値入力ＳＶＩに入力する。従って、オーバードライブ回路ＯＶは、各サブピクセルＳＰｉｊについて、前記開始値、即ち先行フレーム期間Ｔｆｐの間のサブピクセルＳＰｉｊのブライトネスレベルを示している先行データＳＶと、前記入力画像値、即ちサブピクセルＳＰｉｊが現在のフレーム期間Ｔｆの間に到達しなければならない前記ブライトネスレベルを示している現在のデータＩＶとの両方を受け取る。オーバードライブ回路ＯＶは、オーバードライブされるデータＤＡのレベルと応答値ＲＶの値とを決定するために、図５に関して説明されるテーブル１及び２を使用する。
【００３９】
図５は、従来技術のフィードバックオーバードライブ回路において使用されているルックアップテーブルを示している。
【００４０】
図５Ａは、サブピクセルＳＰｉｊの応答値ＲＶを与えるテーブル１を示している。開始値ＳＶ、即ちサブピクセルＳＰｉｊの先行データの値は、マトリックスの最も左側の列に与えられている。実際のドライブデータレベルＤＡは、前記マトリックスの最上行に与えられている。前記最も左側の列に与えられている開始値ＳＶ（例えば、レベル２２４）から開始して、このサブピクセルＳＰｉｊが前記最上行における特定のレベル（例えば、レベル１６）によって駆動される場合、１フレーム期間Ｔｆの後に得られる応答値ＲＶは、２２４を有する左側で開始している行と１６を有する上側で開始している列との交差に対応するセル内に見つけられることができ、従って５７であることが分かる。従って、例えば、１フレーム期間Ｔｆの後の、２２４から１６へのデータ遷移に対応するブライトネス遷移ではなく、２２４から５７へのデータ遷移に対応するブライトネス遷移がなされる。サブピクセルＳＰｉｊは、１フレーム期間Ｔｆの後、所望の値１６よりも高いブライトネスレベルを有する。前記のような生じるブライトネスのエラーは、２５５のデータ差分がゼロブライトネスと最大ブライトネスとの間の差分であることが実現されている場合、かなり多量である４１のデータ差分に対応する。従って、５７の代わりに、値１６が、次のフレームにおいて開始値ＳＶとして使用される場合、必要とされているオーバードライブ値ＤＡの計算において、大きいエラーが、生じるであろう。
【００４１】
図５Ｂは、オーバードライブ値ＤＡを与えるテーブル２を示している。再び、サブピクセルＳＰｉｊの開始値ＳＶは、前記マトリックスの最も左の列に与えられる。所望のデータレベルＩＶは、前記マトリックスの最上行に与えられている。図５Ａについて与えられたのと同じ例の場合、開始値ＳＶが２２４であり、所望のレベルＩＶが１６である場合、０のドライブ信号ＤＡが、供給されなければならないことが分かる。値０の灰色の影は、実際に、更に低い値が、前記所望のレベル１６に到達するために必要であることを示している。しかし、最小ドライブ値ＭＩＤが限られている（この例においては、０まで）という事実のため、最も低い可能なドライブ値がサブピクセルＳＰｉｊに供給される。従って、供給される前記オーバードライブ値は、利用可能な最小ドライブ値ＭＩＤにクリッピングされ、テーブル１から分かるように、１フレーム期間の後に得られるレベルは、１６ではなく、５１（開始値ＳＶが２２４、オーバードライブ値が０）である。
【００４２】
従来技術においては、各サブピクセルＳＰｉｊについて、オーバードライブ値ＤＡは、開始値ＳＶと入力値ＩＶとを使用することにより前記テーブル２において見つけられることができ、応答値ＲＶは、開始値ＳＶとオーバードライブ値ＤＡとを使用することにより前記テーブル１において発見されることができる。従って、この取り組み方は、２つのテーブル、即ち、オーバードライブ値ＤＡを決定することができるテーブルと、１フレーム期間Ｔｆに渡って遅延された応答値ＲＶである開始値ＳＶが、先行フレーム期間Ｔｆｐの間の前記ピクセル１０の実際のドライブ値を表している値を有するように、フレームメモリＦＢ内に記憶されるべき応答値ＲＶを決定することができるテーブルとを必要とする。
【００４３】
代替的には、図５Ａ及び図５Ｂのテーブルの一方又は両方を、２つの入力パラメータの関数として、前記テーブルの値の面を表すものと交換することができる。前記関数は、２つの値、これらの累乗、交差項及び比較的多数の関連する係数に依存するので、比較的複雑である。
【００４４】
図６は、本発明によるフィードバックオーバードライブ回路の実施例のブロック図を示している。テーブルルックアップユニット２４は、入力ビデオ信号ＩＶを受け取るための入力ＤＶを有しており、更に、開始値ＳＶも受け取る。テーブルルックアップユニット２４は、オーバードライブ値ＯＶをサブピクセルＳＰｉｊに供給する。置換回路３０は、テーブル回路２２とクリッパ２１とを有している。置換回路３０は、入力値ＩＶを、開始値ＳＶから開始して１フレーム期間Ｔｆ内で到達可能であるクリッピングされた値ＣＶと呼ばれる応答値と置換する。各開始グレーレベルＳＶ及び各ドライブレベルＯＶに対して応答値ＲＶを供給する、比較的大きい従来技術のマトリックステーブルを使用する代わりに、今、開始値ＳＶから得られる最小及び最大値ＭＩ及びＭＡのみを有する比較的小さなテーブルが、使用されることができる。
【００４５】
テーブル回路２２は、メモリ２３から開始値ＳＶを受け取り、最小値ＭＩ及び最大値ＭＡを供給する。テーブル回路２２は、異なる開始値ＳＶに対して、最小ドライブ値ＭＩＤ又は最大ドライブ値ＭＡＤが、それぞれ、サブピクセルＳＰｉｊに供給された場合に、関連する開始値ＳＶから到達可能である関連する最小値ＭＩ及び最大値ＭＡを有するテーブル（図８参照）を有している。テーブル回路２２は、受け取られた開始値ＳＶに関して、関連する最小値ＭＩ及び関連する最大値ＭＡをクリッパ２１に供給する。通常、前記テーブルは、実際のマトリックス表示器又は特定の種類のマトリックス表示器のサブピクセルＳＰｉｊを駆動することによって、実験的に決定されたデータによって予め埋められている。前記のようなテーブルは、選択された数の開始値ＳＶに対する値のみを供給しても良い。前記テーブル内に存在する２つの隣接する開始値ＳＶの間の、開始値ＳＶについて、関連する最小及び最大値ＭＩ、ＭＡは、前記テーブル内に存在する前記隣接する開始値ＳＶに関連する最小及び最大値ＭＩ及びＭＡから内挿される。
【００４６】
クリッパ２１は、入力値ＩＶ、最小値ＭＩ及び最大値ＭＡを受け取って、フレームメモリ２３内に記憶されている前記クリッピングされた値ＣＶを供給する。クリッピングされた値ＣＶとは、（i）入力値ＩＶのレベルが最小値ＭＩより高く、かつ、最大値ＭＡよりも低い場合には、入力値ＩＶ、（ii）入力値ＩＶが最小値ＭＩ以下である場合には、最小値ＭＩ、又は（iii）入力値ＩＶが最大値ＭＡ以上である場合には、最大値ＭＡである。
【００４７】
ここで、以下では、メモリ２３は、正確な開始値ＳＶを供給することが仮定されている。本発明による取り組み方は、確かに、正確な開始値ＳＶを供給することが明確になるであろう。置換回路３０が、入力値ＩＶが、最小値ＭＩ及び最大値ＭＡの中間であると判断した場合、この入力値ＩＶは、最小ドライブ値ＭＩＤ及び最大ドライブ値ＭＡＤとの中間であるオーバードライブ信号ＯＶを発生させる。このことは、最小値ＭＩ及び最大値ＭＡが、最小ドライブ値ＭＩＤ又は最大ドライブ値ＭＡＤをそれぞれ供給することによりオーバードライブ回路２４によって到達可能である値であるので、正しい。従って、所望の入力値ＩＶは、１つのフレーム期間Ｔｆ内に到達され、従って、このサブピクセルＳＰｉｊについて、次のフレームＴｆｎ用の開始値ＳＶとしてメモリ２３に記憶されるべきクリッピングされた値ＣＶは、入力値ＩＶに等しい。
【００４８】
置換回路３０は、入力値ＩＶが最小値ＭＩ以下であると判断した場合、この入力値ＩＶが、オーバードライブ回路２４によって１フレーム期間Ｔｆ内に到達されることができないことは、明らかである。供給されるオーバードライブ値ＯＶは、単一のフレーム間Ｔｆ内で、所望の入力値ＩＶの可能な限り近くに到達するために、可能である最も低い値である。前記可能である最も低い値は、最小ドライブ値ＭＩＤである。この最小ドライブ値ＭＩＤは、サブピクセルＳＰｉｊに、フレーム期間Ｔｆ内に最小値ＭＩに対応する光学状態へと変化させる。従って、今、入力値ＩＶは、最小値ＭＩにクリッピングされ、最小値ＭＩがメモリ２３に記憶される。従って、次のフレームに関する対応する開始値は、サブピクセルＳＰｉｊが先行フレームの間に到達している光学状態に確かに対応している最小値ＭＩである。
【００４９】
置換回路３０が、入力値ＩＶが最大値ＭＡ以上であると判断した場合、この入力値ＩＶは、オーバードライブ回路２４によって１フレーム期間Ｔｆ内に到達されることができないことは、明らかである。供給されるオーバードライブ値ＯＶは、単一のフレーム期間Ｔｆ内で、所望の値ＩＶの可能な限り近くに到達するために、可能である最も高い値である。前記可能である最も高い値は、最大ドライブ値ＭＡＤである。この最大ドライブ値ＭＡＤは、サブピクセルＳＰｉｊに、フレーム期間Ｔｆ内に最大値ＭＡに対応する光学状態へと変化させる。従って、今、入力値ＩＶは最大値ＭＡにクリッピングされ、最大値ＭＡがメモリ２３に記憶される。従って、次のフレームに関する対応する開始値は、サブピクセルＳＰｉｊが先行フレームの間に到達している光学状態に確かに対応している最小値ＭＡである。
【００５０】
図７は、フィードバックオーバードライブ回路の他の実施例のブロック図を示している。図６に関して議論されたのと同じ項目は、同じ機能を有しており、再度説明される必要はない。ここで、以下において、光学加算器２５は存在しない。この結果、図６との違いは、入力値ＩＶの代わりに、クリッピングされた値ＣＶが、オーバードライブ回路２４の入力ＤＶに供給されることのみである。いま、オーバードライブ回路２４によって使用されていた従来技術のマトリックステーブルの特定のアドレスは、もはや使用されない。このことは、メモリを節約するために使用されることもできる。図９のマトリックステーブルの影をつけられている領域は、当該マトリックスのもはや使用されない部分を示している例である。
【００５１】
光学加算器２５は、従来技術のマトリックステーブルが、所望の値ＤＶとオーバードライブ値ＯＶとの間の差分を示している差分オーバードライブ値ＤＯＶを有している場合に、導入される。加算器２５は、サブピクセルＳＰｉｊに供給される出力値ＯＶを得るために、これらの差分オーバードライブ値ＤＯＶと対応する所望の値ＤＶとを加算する。差分値ＤＯＶを使用する利点は、これらの値が必要とする表現されるべきビットは少なく、従って、オーバードライブ回路２４のマトリックステーブルに必要なメモリの量を減少することにある。差分オーバードライブ値をＤＯＶを有するこのマトリックステーブルと、加算器２５とは、図６のフィードバックオーバードライブ回路に付加されることもできる、
【００５２】
図８は、最小及び最大値を有するテーブルの実施例を示している。図８のテーブルは、３つの列のみを有しており、最も左の列は開始値ＳＶを示している。中央の列は、最小ドライブ値ＭＩＤが開始値ＳＶに対応する光学状態を有するサブピクセルＳＰｉｊに供給された場合に得られる最小値ＭＩを、示している。
最も右側の列は、最大ドライブ値ＭＡＤが開始値ＳＶに対応する光学状態を有するサブピクセルＳＰｉｊに供給された場合に得られる最大値ＭＡを、示している。例えば、フレーム期間Ｔｆの開始におけるサブピクセルＳＰｉｊが、開始値２２４に対応する光学状態にあり、フレーム期間Ｔｆの最後において、ドライブレベル０（最小ブライトネス）が供給される場合、サブピクセルＳＰｉｊの光学状態は、ドライブ値５１に対応する。
【００５３】
代替的には、最小値ＭＩ及び最大値ＭＡを、開始値ＳＶの関数として決定することができる。例えば、図８に示されているテーブルの場合、次の２つの関数：
ＭＩ＝０．０００４ＳＶ２＋０．１０９７ＳＶ＋５．９００２
ＭＡ＝０．０３２７ＳＶ＋２４６．０６
が使用されることができる。前記関数の係数は、あまり正確に選択されていないこともあり得ることに留意されたい。他の表示器の場合、他の係数及び他の関数が必要になり得る。
【００５４】
従って、１フレーム期間Ｔｆにおいて、ドライブ値２２４に対応する比較的高いブライトネスから開始する前記サブピクセルのブライトネスは、ドライブ値５１に対応する低いブライトネスよりも低く降下することはできない。フレーム期間Ｔｆの開始におけるサブピクセルＳＰｉｊが、開始値２４４に対応する光学状態にある場合、ドライブレベル２５５（最大ブライトネス）が供給され、フレーム期間Ｔｆの終端において、サブピクセルＳＰｉｊの光学状態は、ドライブ値２５３に対応するブライトネスよりも高いブライトネスに変化することはできない。
【００５５】
示されているテーブルは、単に例であって、前記テーブルは、１７個よりも多い又は少ない行を有していても良い。前記テーブル内に存在しない開始値ＳＶに対する最小値ＭＩ及び最大値ＭＡは、内挿によって決定されることができる。前記内挿は、線形、３次、又は更なる高次のものであっても良い。前記テーブル内の値を最適にフィットするスプライン関数を使用することも可能である。
【００５６】
図９は、前記マトリックステーブルのもはや使用されない領域を示している本発明による例を示している。図９は、オーバードライブ回路２４において使用されているマトリックステーブルの好適実施例を示している。最も左側の列は、開始値ＳＶを示している。最上行は、オーバードライブ回路２４の入力ＤＶにおける所望のレベルを示している。この所望のレベルとは、図７に示されているクリッピングされた値ＣＶである。前記マトリックスのセルにおける値は、差分オーバードライブ値ＤＯＶを表している。今、前記値を記憶するのに必要なビットは、より少ない。このテーブルの使用を説明するための例として、前記開始値が８０であり、前記所望のレベルが１６である場合、前記差分ドライブ値は、−１５である。従って、値１６−１５＝１が、前記ドライブ値としてサブピクセルＳＰｉｊに供給されなければならない。
【００５７】
入力値ＩＶの代わりに、クリッピングされた値ＣＶがオーバードライブ回路２４の入力ＤＶに供給されるので、前記テーブルにおける薄灰色の領域は、生じない値である。従って、特定のクリッピングされた値ＣＶの和と、関連する差分オーバードライブ値ＤＯＶとは、最小ドライブ値０よりも下であることもできず、最大ドライブ値２５５よりも高くあることもできない。従って、例えば、前記開始値が２２４であり、前記所望の値が１６である場合、１フレーム期間Ｔｆ内に前記所望の値に到達することは不可能である。このことは、図８から明らかであり、前記開始値２４４から開始して、１フレーム期間Ｔｆ内に到達されることができる前記のような最小値は、５１である。従って、２４４の開始値ＳＶと前記所望の値１６とに対応するマトリックス内のセルは、前記クリッピングされた信号が値５１を有するので、アドレス指定されない。
【００５８】
上述の実施例は、本発明を限定するよりは解説するものであり、当業者であれば添付請求項の範囲から逸脱することなしに、多くの代替的な実施例を設計できることに留意されたい。例えば、前記請求項に記載されているピクセル１０は、この表示器がモノクロディスプレイである場合、表示パネル１のピクセルであっても良い。代替的には、前記請求項に記載されているピクセル１０は、マルチカラーディスプレイのサブピクセルＳＰｉｊのうちの１つであっても良い。
【００５９】
前記請求項において、括弧内に置かれた如何なる符号も、請求項を限定するようにみなしてはならない。「有する」という語は、請求項に記載されていない構成要素又はステップの存在を排除するものではない。単数形の構成要素は、複数のこのような構成要素を排除するものではない。本発明は、幾つか別個の構成要素を有するハードウェアによって、及び適当にプログラムされたコンピュータによって実施化することができる。オーバードライブ回路２０は、１つ以上の集積回路によって、又は前記１つ以上の集積回路及びオプションで付加的な構成要素を有する１つ以上のモジュールによって形成されることができる。いくつかの手段を列挙している装置請求項において、これらの手段の幾つかは１つの同じハードウェアの項目によって、実施化することができる。特定の手段が、相互に異なる従属請求項において引用されているという単なる事実は、これらの手段の組み合わせが有利になるように使用されることができないと示すものではない。
【００６０】
結論として、好適実施例において、慣性を持つ表示ピクセル１０を有する表示パネル１用のオーバードライブ回路２０は、開始値ＳＶと、表示されるべき画像を示す入力値ＩＶか又はクリッピングされた値ＣＶかのいずれかである所望の値ＤＶとを受け取り、オーバードライブ値ＯＶをピクセル１０に供給する関数回路２４又はテーブルルックアップユニット２７を有している。置換回路３０は、入力値ＩＶを、開始値ＳＶから開始して１フレーム期間Ｔｆ内に到達可能な応答に置換して、クリッピングされた値ＣＶを得る。フレームメモリ２３は、クリッピングされた値ＣＶを受け取り、この結果、１フレーム期間Ｔｆに渡って遅延された前記クリッピングされた値ＣＶである開始値ＳＶを供給する。置換回路３０は、テーブルルックアップ回路又は関数回路２２を有しており、該テーブルルックアップ回路又は関数回路２２は、開始値ＳＶに対して、最小ドライブ値ＭＩＤがピクセル１０に供給された場合に、１フレーム期間Ｔｆ内に開始値ＳＶから到達される対応する最小値ＭＩと、最大ドライブ値ＭＡＤがピクセル１０に供給された場合に、１フレーム期間内Ｔｆに開始値ＳＶから到達される対応する最大値ＭＡとを示している。
【図面の簡単な説明】
【００６１】
【図１】マトリックス表示装置のブロック図を示している。
【図２Ａ】当該マトリックス表示器のサブピクセルを駆動する選択信号を示している。
【図２Ｂ】当該マトリックス表示器のサブピクセルを駆動する選択信号を示している。
【図２Ｃ】当該マトリックス表示器のサブピクセルを駆動する選択信号を示している。
【図２Ｄ】当該マトリックス表示器のサブピクセルを駆動するデータ信号を示している。
【図３Ａ】いくつかのドライブ信号レベルについて、サブピクセルのブライトネスを時間の関数として示している。
【図３Ｂ】いくつかのドライブ信号レベルについて、サブピクセルのブライトネスを時間の関数として示している。
【図４】マトリックス表示器用の従来技術のフィードバックオーバードライブ回路を示している。
【図５Ａ】前記従来技術のフィードバックオーバードライブ回路において使用されているルックアップテーブルを示している。
【図５Ｂ】前記従来技術のフィードバックオーバードライブ回路において使用されているルックアップテーブルを示している。
【図６】本発明によるフィードバックオーバードライブ回路の実施例のブロック図を示している。
【図７】フィードバックオーバードライブ回路の他の実施例のブロック図を示している。
【図８】最大及び最小値を有するテーブルの実施例を示している。
【図９】当該マトリックステーブルのもはや使用されない領域を示している本発明による例を示している。
【図１】
2007531044.tif 000003
【図２Ａ】
2007531044.tif 000004
【図２Ｂ】
2007531044.tif 000005
【図２Ｃ】
2007531044.tif 000006
【図２Ｄ】
2007531044.tif 000007
【図３Ａ】
2007531044.tif 000008
【図３Ｂ】
2007531044.tif 000009
【図４】
2007531044.tif 000010
【図５Ａ】
2007531044.tif 000011
【図５Ｂ】
2007531044.tif 000012
【図６】
2007531044.tif 000013
【図７】
2007531044.tif 000014
【図８】
2007531044.tif 000015
【図９】
2007531044.tif 000016
【国際調査報告】
2007531044.tif 000017
2007531044.tif 000018
2007531044.tif 000019